(57)【特許請求の範囲】
【請求項１】
溶接電源において電圧削減機能を提供する方法であって：
前記溶接電源の中で、誘導された信号を検知するステップであり、前記溶接電源の電極出力端子と作業部品出力端子との間がロード状態または無ロード状態であることを示す検知された信号を生成するステップと、
前記溶接電源の中で、前記電極出力端子と前記作業部品出力端子との間が低電圧状態または高電圧状態であることを示す出力電圧を検知するステップと、
前記検知された信号が無ロード状態であることを示し、かつ、前記出力電圧が高出力電圧状態であることを示す場合には、前記溶接電源の中で、前記溶接電源の入力電力側をディスエーブルにするステップと、を含み、
前記溶接電源の入力電力側をディスエーブルにするステップは、前記入力電力側の電圧削減装置（ＶＲＤ）スイッチを自動的にオープンにすることで達成することができ、
前記ＶＲＤスイッチは、前記溶接電源の主ＯＮ／ＯＦＦスイッチおよび前記溶接電源の入力電力接点リレーのコイルと直列である、
ことを特徴とする方法。
【請求項２】
前記方法は、さらに
前記検知された信号が無ロード状態を示す場合には、前記溶接電源の中で、前記溶接電源の出力電力側をディスエーブルにするステップ、を含む
請求項１に記載の方法。
【請求項３】
前記誘導された信号は、前記溶接電源の出力電流パスにおいて誘導された共振信号である、
請求項１または２に記載の方法。
【請求項４】
前記出力電圧は、二乗平均平方根（ＲＭＳ）の電圧である、
請求項１乃至３のいずれか一項に記載の方法。
【請求項５】
前記検知された信号は、前記出力端子間の抵抗が約１００オームより大きい場合に、無ロード状態を示す、
請求項１乃至４のいずれか一項に記載の方法。
【請求項６】
前記出力電圧レベルは、前記出力電圧が約５０ＶＲＭＳより大きい場合に、高出力電圧状態を示す、
請求項１乃至５のいずれか一項に記載の方法。
【請求項７】
溶接電源において電圧削減機能を提供するための装置であって：
前記溶接電源の中から、前記溶接電源の出力電流パスにおいて共振信号を誘導する手段と；
前記溶接電源の中から、前記誘導された共振信号を検知するための手段であって、前記溶接電源の電極出力端子と作業部品出力端子との間がロード状態または無ロード状態であることを示す検知された信号を生成する手段と；
前記溶接電源の中から、前記電極出力端子と前記作業部品出力端子との間が低電圧状態または高電圧状態であることを示すＲＭＳ出力電圧を検知するための手段と；
前記検知された信号が無ロード状態を示し、かつ、前記ＲＭＳ出力電圧が高出力電圧状態を示す場合に、前記溶接電源の中から、前記溶接電源の入力電力側をディスエーブルにする手段と、を含み、
前記溶接電源の入力電力側をディスエーブルにするステップは、前記入力電力側の電圧削減装置（ＶＲＤ）スイッチを自動的にオープンにすることで達成することができ、
前記ＶＲＤスイッチは、前記溶接電源の主ＯＮ／ＯＦＦスイッチおよび前記溶接電源の入力電力接点リレーのコイルと直列である、
ことを特徴とする装置。
【請求項８】
前記装置は、さらに
前記検知された信号がロード状態を示す場合に、溶接電源の中から、前記溶接電源の出力電力側をイネーブルにする手段、を含む
請求項７に記載の装置。
【請求項９】
前記装置は、さらに
前記溶接電源の入力電力接点リレーが励磁されていない場合でさえ、少なくとも、前記誘導する手段、前記検知する手段、および前記ディスエーブルにする手段、に対して電力を供給する手段、を含む
請求項７または８に記載の装置。
【請求項１０】
前記装置は、さらに
少なくとも、前記誘導する手段、前記検知する手段、および前記ディスエーブルにする手段、に対して電力を供給する手段、を含み
前記電力は、予備の変圧器を通じて前記溶接電源の入力電力側から生じたものである、
請求項７乃至９のいずれか一項に記載の装置。
【請求項１１】
前記検知された信号は、前記出力端子間の抵抗が既定の閾値より大きい場合に無ロード状態を示す、
請求項７乃至１０のいずれか一項に記載の装置。
【請求項１２】
前記ＲＭＳ出力電圧レベルは、前記ＲＭＳ出力電圧が既定の閾値より大きい場合に高出力電圧状態を示、
請求項７乃至１１のいずれか一項に記載の装置。
【請求項１３】
溶接電源において電圧削減機能を提供するための装置であって、
前記溶接電源の中に構成される調整された受信器回路であり、前記溶接電源の中の溶接出力電流パスにおいて誘導された共振信号を受け取り、かつ、そこからロジカルなロード状態信号を生成する受信回路と；
前記溶接電源の中に構成された電圧検知回路であり、前記溶接電源の電極出力端子と作業部品出力端子との間の電圧を検知し、ロジカルな出力電圧状態信号を生成する電圧検知回路と；
前記溶接電源の入力電力側で、前記溶接電源の主ＯＮ／ＯＦＦスイッチおよび前記溶接電源の入力電力接点リレーのコイルと直列な電圧削減装置（ＶＲＤ）と；
前記溶接電源の中に構成された電圧削減装置（ＶＲＤ）コントロール回路であって、前記ロジカルなロード状態信号が無ロード状態を示し、かつ、前記ロジカルな出力電圧状態信号が高出力電圧状態を示す場合に、前記ＶＲＤスイッチをオープンにするＶＲＤコントロール回路と；を含む
ことを特徴とする装置。
【請求項１４】
前記装置は、さらに
溶接電源の中に構成された共振回路であって、前記溶接出力電流パスの中に前記共振信号を誘導する共振回路、を含む
請求項１３に記載の装置。
【請求項１５】
前記ＶＲＤコントロールロジック回路は、さらに、
前記溶接電源の中に構成され、前記ロジカルなロード状態信号がロード状態を示す場合に、前記溶接電源の出力電力側をイネーブルにするように、前記溶接電源の出力コントローラーに対して命令する、
請求項１３または１４に記載の装置。
【請求項１６】
前記装置は、さらに、
前記調整された受信器回路、前記電圧検知回路、前記ＶＲＤコントロールロジック回路、前記共振回路、そして前記ＶＲＤスイッチの少なくとも一つに対して電力を提供するように構成されているＶＲＤ電源を含む、
請求項１３乃至１５のいずれか一項に記載の装置。
【請求項１７】
前記ＶＲＤ電源は、前記溶接電源の入力電力側にある前記溶接電源の予備の変圧器に動作的に接続されており、
前記ＶＲＤ電源は、前記入力電力接点リレーが励磁されていてもいなくても、かつ、前記溶接電源の前記主ＯＮ／ＯＦＦスイッチが閉じている場合に、前記予備の変圧器の２次側から電力を引き出すことができる、
請求項１６に記載の装置。
【請求項１８】
前記ロジカルなロード状態信号は、前記出力端子間の抵抗レベルが既定の閾値よりも大きい場合に、無ロード状態を示す、
請求項１３乃至１７のいずれか一項に記載の装置。
【請求項１９】
前記ロジカルな出力電圧状態信号は、前記電圧が既定の閾値よりも大きい場合に、高出力電圧状態を示す、
請求項１３乃至１８のいずれか一項に記載の装置。
【発明の詳細な説明】
【技術分野】
【０００１】
米国特許第７２３８９１７号明細書の好適な実施例の記載および図面は、その全体がここにおいて参照として包含される。
【０００２】
本発明は、溶接用電源に関する。より特定的には、本発明の所定の実施例は、安全目的のために溶接用電源において電圧削減能力を提供するための装置および方法に関する。
【背景技術】
【０００３】
溶接機を溶接プロセスで使用する前に、アーク溶接電源のオープン回路電圧を削減するために、いくつかの技術が利用されてきた。最も一般的なデザインの一つは、出力スイッチング装置のコンダクション（ｃｏｎｄｕｃｔｉｏｎ）期間を削減するコントロール回路であり、オープン回路電圧が所望の低い値に留まるものである。インバーター型の電源において、スイッチング装置は、ふつうはフィールド効果型トランジスター（ＦＥＴ）または絶縁ゲート型バイポーラトランジスター（ＩＧＢＴ）の形式である。スイッチング周波数は大抵２０ｋＨｚより大きいので、こうしたスイッチング装置のコンダクション期間は非常に短く、インバーターの動作周波数に依存している。オープン回路電圧を低レベルに削減するため、スイッチング装置の最小のコンダクション期間は、複雑で電気的に要求が厳しいコントロール回路を必要とする。こうしたオープン回路電圧（ＯＣＶ）コントロール装置を使用している電源は、溶接の最中に溶接電力が得られるように、電源のコントロールをリリース（ｒｅｌｅａｓｅ）する回路も含んでいる。こうしたリリース回路をもった検知装置は、大抵、ノイズと感度の問題を生じがちである。
【０００４】
こうしたアプローチを、以降の本出願明細書において図面に関して説明される本発明に係る実施例と比較することを通じて、当業者にとっては、従来の、伝統的で、提案されたアプローチに係るさらなる制限と不利な点が明らかになるだろう。
【先行技術文献】
【特許文献】
【０００５】
【特許文献１】米国特許第７２３８９１７号明細書
【発明の概要】
【発明が解決しようとする課題】
【０００６】
本発明の実施例は、安全目的のために溶接用電源において電圧削減能力を提供するための装置および方法を含んでいる。
【課題を解決するための手段】
【０００７】
抵抗負荷と溶接電源出力の出力電圧は、モニターされ、既定または選択済みの閾値と比較されて、ロード／無ロード状態信号および高／低出力電圧状態信号（例えば、ロジック信号）を生成する。ロード／無ロード状態信号および高／低出力電圧状態信号は、既定のコントロールロジックに従って溶接電源の入力と出力をイネーブル（ｅｎａｂｌｅ）およびディスエーブル（ｄｉｓａｂｌｅ）するためのコントロール信号を生成する電圧削減装置コントロールロジックに対する入力として働く。結果として、危険な作業条件における溶接電源のユーザーに対して、電気的ショックを防ぐさらなる手段が提供される。
特許請求される発明に係るこれら及び他の特徴は、説明される詳細と同様に、以降の記載、図面、そして請求項から、より完全に理解されるであろう。
【図面の簡単な説明】
【０００８】
【図１】図１は、本発明の種々の実施例に関して、安全目的のための電圧削減能力を備えた電気アーク溶接システムの実施例に係る模式的なブロックダイヤグラムを示している。
【図２】図２は、従来の電気アーク溶接の例において実施された従来の電圧削減能力（ここにおいて参照として包含される米国特許ダイヤグラム７２３８９１７号に係る好適な実施例および図面に記載されるように）の実施例に係る模式的なブロックダイヤグラムである。図１の電気アーク溶接システム９００においても実施され得るものである。
【図３】図３は、溶接電源の第１の実施例において実施される改善された電圧削減装置の実施例に係る模式的なブロックダイヤグラムを示しており、図１の電気アーク溶接システムにおいて実施され得る。
【図４】図４は、溶接電源の第２の実施例において実施される改善された電圧削減装置の実施例に係る模式的なブロックダイヤグラムを示しており、図１の電気アーク溶接システムにおいて実施され得る。
【図５】図５は、溶接電源の一般的な実施例において実施される改善された電圧削減装置の実施例に係る模式的なブロックダイヤグラムを示しており、図１の電気アーク溶接システムにおいて実施され得る。
【図６】図６は、図３から図５の電圧削減装置において実施される電圧削減装置（ＶＲＤ）コントロールロジックおよび関連のロジック真理値表の実施例に係る模式的なダイヤグラムを示している。
【図７】図７は、図３から図５の電圧削減装置と図６の電圧削減コントロールロジックを使用して、図１の電気アーク溶接システムにおいて電圧削減電圧を提供するための方法の実施例に係るフローチャートを示している。
【発明を実施するための形態】
【０００９】
図１は、本発明の種々の実施例に関して、安全目的のための電圧削減能力を備えた電気アーク溶接システム９００の実施例に係る模式的なブロックダイヤグラムを示している。システム９００は、溶接電極Ｅと作業部材Ｗとの間に溶接出力電圧を提供する電力変換器９１０を含んでいる。電力変換器９１０は、入力電力側と出力電力側を含むインバータータイプであり得る。例えば、溶接変圧器の、それぞれ１次および２次側によって描かれているようにである。他のタイプの電力変換器も同様に使用可能である。ワイヤーフィーダー９２０は、ワイヤー溶接電極Ｅを作業部材Ｗに向かって送り出す。代替的には、電極Ｅはスティック状の電極であってもよく、従って、ワイヤーフィーダー９２０は使用されない。
【００１０】
システム９００は、さらに、波形ジェネレーター９３０と溶接コントローラー９４０を含んでいる。波形ジェネレーター９３０は、溶接コントローラー９４０のコマンドによって溶接波形を生成する。波形ジェネレーター９３０によって生成された波形は、電力変換器９１０の出力を変調して、電極Ｅと作業部材Ｗとの間に溶接出力電力を発生させる。
【００１１】
システム９００は、電圧フィードバック回路９５０と電流フィードバック回路９６０を含んでもよい。溶接出力電圧および電極Ｅと作業部材Ｗとの間の電流をモニターし、モニターされた電圧と電流を溶接コントローラー９４０に返すためである。フィードバック電圧と電流は、波形ジェネレーター９３０によって生成された溶接波形の変更に関する決定をするため、及び／又は、例えば、システム９００の安全なオペレーションに影響する他の決定をするために、溶接コントローラー９４０によって使用される。
【００１２】
米国特許第７２３８９１７号は、安全目的のための電圧削減能力を有する従来のアーク溶接機の実施例を記載している。ここにおいて説明される所定の改善された実施例にについて詳細を紹介する手段として、図２が提供され、従来の電気アーク溶接の例において実施された従来の電圧削減能力（ここにおいて参照として包含される米国特許ダイヤグラム７２３８９１７号に係る好適な実施例および図面に記載されるように）の実施例に係る模式的なブロックダイヤグラムが説明されている。例えば、図１の電気アーク溶接システム９００においても実施され得るものである。図２に示される溶接機は、ＭＩＧ溶接のためのＡＣまたはＤＣ溶接、ＴＩＧ溶接、スティック溶接、そして、ＣＣおよびＣＶモードの両方におけるサブマージ（ｓｕｂｍｅｒｇｅｄ）アーク溶接、のために使用されるタイプのものである。
【００１３】
図２の溶接機は、３相入力１２と、それぞれ溶接ケーブル３０，３２に接続された出力端子１４，１６を有する電源１０を含んでいる。溶接オペレーションは、電極Ｅとして模式的に説明されており、電極は、グラウンド端子３４に接続された作業部材ＷＰに向かって方向付けられた消耗可能なワイヤーであり得る。ギャップＧが電極Ｅと作業部材Ｗとの間に配置され、一般的な溶接技術において使用される。平均溶接電流は、シャント３６によって測定される。溶接機によって溶接が実行されるときには、端子１４、１６に電力を提供するように電源１０が動作化される。
【００１４】
電源１０は、望ましくは、入力ライン２０上のロジックによってコントロールされるＯＮ端子を有するインバーターベースの電源である。ライン２０上のロジックの値１またはスタート信号が、端子１４，１６に電力を提供するように電源１０を動作化する。ライン２０上のロジック０（ゼロ）は電源１０をオフし、または非常に低いオープン回路電圧にまで下げる。電源１０が動作化されると、端子１４，１６間のオープン回路電圧は高い。電源を完全にオフにするために、スイッチ４０または溶接ガン（ｇｕｎ）のトリガーからの接点が、一般的な技術に従ってクローズされる。
【００１５】
図２の溶接機は、スイッチ４０がクローズされるか、ギャップＧ間が低い抵抗になるまで、電源を０（ゼロ）オープン回路電圧に維持しておくというコンセプトに関するものである。この低い抵抗は、溶接機が溶接オペレーションを開始する準備状況にあることを意味している。与えられた設定量よりも大きいギャップＧ間の抵抗は、ギャップが未だオープンであり、オープン回路電圧が無いこと、または低いＯＣＶに対する要求が存在することを意味している。溶接プロセスが開始されるまでは、溶接オペレーションにおいてオープン回路電圧は必要とされないか、または望まれない。ギャップのこの状況は、ギャップ間の低い抵抗として認識される。実際に、溶接プロセスをスタートするために電極Ｅを作業部材ＷＰと接触させることによって、抵抗はしばしばゼロとなる。電源１０のオープン回路電圧は、溶接オペレーションが開始されたことの指標が検知されるまで、ゼロまたは低いレベル（ゼロと同等）に維持される。このイベントは、ギャップＧ間の抵抗を判断することによって完成する。
【００１６】
図２の溶接機のより特定的な使用は、（ａ）ギャップＧ間の低い抵抗（「スタート信号）を創出している）により溶接オペレーションが開始され、かつ、（ｂ）トリガースイッチ４０がクローズされたときに、「イネーブル信号」を創出することである。スイッチ４０をクローズすることは、電極が作業部材ＷＰに近づくか、接触した後、または、そのときに、ポジティブな動作である。電源コントロール装置Ｄが、ギャップＧ間の抵抗が与えられた分量以下になるまで、電源１０のオープン回路電圧を削減するために使用される。与えられた分量とは、装置Ｄの所望の設定に応じて、一般的には、１００オーム、５０オーム、または３０オーム以下である。装置Ｄは、１次巻き線６２と２次巻き線６４を有する入力変圧器６０を含んでいる。巻き線６４は、ケーブル３０の一巻きであり、管の中を通っている。管は３回巻かれたトロイド状のものであり、１次巻き線６２を構成する。上記の管は、ケーブル３０が管の両端において電気的に終結するように、銅またはアルミニウムといった導体である。これは既知の変圧器技術であり、一巻きは低抵抗のストラップ（ｓｔｒａｐ）である。１次巻き線６２は、発振器７０によって生成された低電圧信号によって、高周波数において励磁される。設定周波数は、一般的には５０ｋＨｚよりも高く、望ましくは６０から９０ｋＨｚの範囲である。実際には、発振器７０は８５ｋＨｚに設定されている。この信号の電流は低い値に制限されている。本発明の一つの実施例に従えば、信号電流は４０ｍＡ以下である。
【００１７】
入力変圧器６０は、ケーブル３０、電極Ｅ，ギャップＧ，作業部材ＷＰ，シャント３６、ケーブル３２、そして、電源１０の端子１４，１６間の内部抵抗およびインダクタンス、からなる直列回路の中に、高周波数で低電圧の信号を誘導する。その結果、この直列回路の中に高周波数の信号が誘導される。この信号の得られる大きさは、ギャップＧにおける抵抗によって定まる。この大きさは、１次巻き線８２と２次巻き線８４を有する出力変圧器８０によって検知される。巻き線８２は、入力変圧器６０の２次巻き線６４といった、単一巻き線である。２次巻き線８４の中に誘導される高周波数信号は、調整されたデコード検出器９０に対して向けられる。検出器は標準的な技術に従って構成され、ギャップＧの抵抗が与えられた値以下の場合に、出力９２上にロジック信号を提供する。その結果、出力スタート信号ライン９２上のロジックの値１は、溶接オペレーションの前置きとして、その開始前に電極Ｅが作業部品ＷＰと接触していることを示している。ライン９２における「スタート信号（“ｓｔａｒｔ”）」は、ギャップＧが与えられた値よりも小さな抵抗である場合に創出される。この目的を達成するために、ギャップＧを含む直列回路の中に高周波数低電圧の信号を誘導する入力変圧器が存在する。出力変圧器８０は、信号を検知し、設定された周波数における信号を検知し、大きさを測定する。設定された高周波数におけるあらゆる信号の大きさが検出器９０によって測定され、ライン９２上にロジックの値１または「スタート信号」を創出する。このスタート信号がいかにして電源１０を開始するために使用されるかは、本発明の別の実施例のとおりである。広いコンセプトは、説明されたように、電源１０のための多様なスタートロジックと供に使用され得る。
【００１８】
本発明の一つの実施例に従って、電源コントロール装置Ｄは、ライン９２上の「スタート信号」を利用する。この信号は、電源１０をコントロールするために使用される。「スタート信号」は、ＡＮＤ回路１００に係る１つの入力であり、トリガースイッチに係る接点４０ａから第２の入力がある。接点またはスイッチという用語は、アイテム４０と４０ａに対して交換可能に使用される。接点４０と４０ａは、トリガースイッチ接点であり、溶接オペレーションがオペレーターまたは自動メカニズムによって開始された場合に、クローズされる。デバイスＤは、接点４０ａのみを含んでいてもよい。しかしながら、ギャップＧにおける抵抗が低くなり、溶接オペレーションを開始するためにトリガーが閉められるまでは、電源１０は動作しないことを示すために、他の接点４０も、また、図示されている。ＡＮＤ回路１００は、電源１０が完全にスイッチオンである場合にロジックの値１である「イネーブル信号（“ｅｎａｂｌｉｎｇ  ｓｉｇｎａｌ”）」のための出力１０４を有している。トリガースイッチ４０ａが閉じられていなけれは、このイネーブル信号は、発生しない。このように、接点４０は、ライン２０と接続するために、４０ｂによって閉じられる。
【００１９】
ＡＮＤ回路１００の出力１０４は、ライン１０４上の「イネーブル信号」である１つの入力と供に、ＯＲゲートの形態であるスタート回路１１０に向けられる。従って、ライン１０４がロジックの値１である場合に、スタート回路１１０の出力１１２はロジックの値１である。これにより電源１０は、例えば、溶接電力といったフルパワーで始動する。スイッチ４０ａが閉じると、スイッチ４０も閉じる。大体の溶接電源には、キャパシター２５２とトランジスター２５４の並列回路で表されるように、端子１４，１６の間には、内部的に低インピーダンスブランチ（ｉｍｐｅｄａｎｃｅ  ｂｒａｎｃｈ）が存在する。装置Ｄを出力端子間の低インピーダンスを有しない電源に改造する場合には、ギャップＧを伴なう直列回路が低インピーダンスを有するように、こうした回路が追加される。
【００２０】
本発明に係る種々の実施例を実行する際には、ライン２０におけるスイッチ４０を除去してもよい。しかしながら、スイッチは、溶接電流検知器を含む解除ネットワークと供に使用される。ライン９２における「スタート信号」の後に、溶接サイクルは開始され、溶接電流が流れる。溶接電流が存在する限りは、電源はフルの状態に留まるべきである。フルの状態とは、ＴＩＧ溶接というような、低い溶接電力を有することを意味している。溶接電流が流れると、変圧器６０、８０は飽和し、ライン９２上のロジックの値１を有効に維持することができなくなる。装置Ｄが、溶接サイクルの開始において、目的を達成してしまった後には、「スタート信号」は存在しない。変換器が飽和した後も電源をオンに維持するために、ロジックネットワークはコンパレーター１２０の形態において解除セグメントを含む。ライン１２２上の電圧または入力信号は、溶接電流平均化回路によって提供される。結果として、ライン１２２上の電圧は、溶接機Ｗの平均溶接電流を表している。この溶接電流の平均は、検出器１２０によって、第２の入力１２６上の電圧と比較される。この入力は、低参照電流ｘを表す電圧を有している。ライン１２２上の電圧によって表される平均溶接電流が所定の低い固定量より大きい場合（そして、変圧器が飽和している場合）は、このロジックネットワークによって、コンパレーターまたは溶接電流検知器１２０は、出力ライン１３０上の「溶接電流信号」であるロジックの値１を提供する。
【００２１】
ライン１３０上の溶接電極信号は、装置Ｄの２つの分離したブランチにおいて使用され得る。第１のブランチは、ライン１３０上の溶接電極信号をＡＮＤゲート１４０に向かわせ、ＡＮＤゲートは、トリガースイッチ４０ａを閉じることによるロジックの値１によって表される入力１４２を有している。この動作は、入力ライン１３０上のロジックに従ってゲート１４０をオペレーションするように解放する。従って、ライン１４４上のロジックは、少なくとも小さい量の溶接電極流が存在する場合に表れる「溶接電流信号」である。装置Ｄに使用される溶接電流信号プロセッサの特徴に係るこのブランチにおいて、ライン１４４上のロジックは、トリガースイッチ接点４０ａが閉じている場合にだけイネーブルにされる。
【００２２】
代替で、任意的なオペレーションにおいては、破線１５０で示されるように、ライン１４４上のロジックは、単にライン１３０上のロジックを反映するだけである。ライン１４４上にロジックの値１が表れる場合には、与えられた小さな量以上の溶接電極流が存在する。このことが起きる場合、スタート回路１１０はスタート信号またはライン１１２上のロジックを生成するように動作化される。この任意的なオペレーションにおいて、溶接電極流が存在し、かつ、トリガースイッチが閉じている場合には、スイッチ４０は閉じており、かつ、電源はオンである。溶接オペレーションが停止する場合には、トリガースイッチ接点４０はオープンである。電源１０は、ゼロであるオープン回路電圧にまで非動作化され、装置Ｄを介して実施され、コントロールされる、次の開始オペレーションを待っている。見てわかるように、トリガースイッチ４０は除去されてもよく、装置Ｄが、装置Ｄに係る回路のリメインダー（ｒｅｍａｉｎｄｅｒ）をバイパスする溶接電流信号を生成する場合に最初に使用されてもよい。よって、溶接電流が存在し、及び／又は、変圧器が飽和する場合はいつでも、電源は未だオンに保持される。
【００２３】
図２からわかるように、装置Ｄは、ギャップＧ間の抵抗が与えられた値より小さい場合に電源１０をオンにする。これは、ギャップを含む直列回路において高周波数の低電圧信号を誘導すること、および、ライン９２にスタート信号を創出するために調整された検出器（受信器）によって信号の大きさを測定することにより成し遂げられる。そうでなければ、電源は、ゼロのオープン回路電圧のままである。飽和しない変圧器を使用することが可能であり、すると、スタート信号は溶接の最中に保持され、ロジックネットワークの解除部分は必要ではない。
【００２４】
繰り返すが、図２に係る溶接機は、米国特許第７２３８９１７号において以前に開示されている。米国特許第７２３８９１７号の電圧削減装置の能力に対する改良および変形が、ここにおいて図３から図７に関して説明される。
【００２５】
図３は、図１の電気アーク溶接システム９００で使用される溶接電源３００の第１の実施例において実施される改良された電圧削減装置の実施例に係るブロックダイヤグラムを模式的に示している。図３は、溶接変圧器３１０の１次側である電源３００の入力電力側、および、溶接変圧器３１０の２次側である電源３００の出力電力側を示している。
【００２６】
図３における電源３００の入力電力側は、励磁コイル３２１と電子リレー接点セット３２２を有する入力電力接点リレーＣＲを伴なう単相溶接変圧器３１０の１次巻き線３１１を含んでいる。１次巻き線３１１とリレー接点３２２は、ＶＩＮが電源３００の入力に適用される場合、入力電源ＶＩＮと直列である。入力電力側は、また、１次側がＶＩＮに接続され、２次側が電源３００の主ＯＮ／ＯＦＦスイッチ３４０に接続された予備変圧器３３０を含んでいる。主ＯＮ／ＯＦＦスイッチ３４０は、本発明の実施例に従って、電源３００のフロントパネル上のユーザーにアクセス可能である。
【００２７】
図３に見られるように、予備変圧器３３０の２次側は、ＯＮ／ＯＦＦスイッチ３４０、リレーコイル３２１、および電圧削減装置（ＶＲＤ（ｖｏｌｔａｇｅ  ｒｅｄｕｃｔｉｏｎ  ｄｅｖｉｃｅ））スイッチ３５０と直列の２次巻き線３３２を含んでいる。予備変圧器３３０の２次巻き線３３２によって、リレーコイル３２１が励磁されるためには、ＯＮ／ＯＦＦスイッチ３４０とＶＲＤスイッチ３５０の両方が閉じていなければならない。リレーコイル３２１が励磁されると、接点リレーＣＲの接点３２２が閉じ、電流がＶＩＮから、接点３２２を通り、溶接変圧器３１０の１次巻き線３１１を通って、ＶＩＮに戻ってくるように流れることができる（逆もまた同様である）。
【００２８】
電源３００は、また、示されるように、電源３００の入力電力側の予備変圧器３３０の２次側に接続されて電力を引き出すＶＲＤ電源３６０を含んでいる。ＶＲＤ電源３６０は、ＶＲＤ装置の一部であり、必要であれば電源３００における種々のＶＲＤコンポーネントに対して電力を提供する。種々の実施例において電力が供給される種々のＶＲＤコンポーネントは、ＶＲＤスイッチ３５０、ＶＲＤコントロールロジック３７０、共振回路３８０、および受信器回路３９０を含み、それらのオペレーションは、以降ここにおいてより詳細に説明される。本発明の実施例に従って、全てのＶＲＤコンポーネントは電源３００の内部に配置されており、ここにおいて説明されるＶＲＤ機能を解除することはユーザーにとって難しい。
【００２９】
接点リレーＣＲの接点３２２が閉じられると、１次巻き線３１１を通って電流がながれるので、電源３００の２次側で溶接変圧器３１０の２次巻き線３１２は励磁される。電源３００の２次側は、一つまたはそれ以上の出力コントロールパワースイッチィングデバイスを含み得る。例えば、従来技術としてよく知られた、シリコンコントロール整流器（ＳＣＲ）、ＩＧＢＴ、またはＦＥＴ、といったものである。例として、図３は、溶接変圧器３１０の２次巻き線３１２に接続されたＳＣＲ３９５を示している。ＳＣＲ３９５は、総称的に示されており、出力構成における複数のＳＣＲを表し得る。共振回路３８０が、示されるように、電源３００の出力電流パス（ｐａｔｈ）の電極側ＥにおいてＳＣＲの出力に接続されている。調整された受信器回路３９０が、電源３００の出力電流パスの作業部品側Ｗにおいて２次巻き線３１２に接続されている。しかしながら、本発明の他の実施例に従えば、他の構成も同様に可能である。例えば、共振回路３８０が、代わりに、作業部品側Ｗにあり、調整された受信器回路３９０が電極側Ｅにあってもよい。さらに、例えば、共振回路３８０と調整された受信器回路３９０の両方が、電極側Ｅか作業部品側Ｗのいずれかにおいて、直列に配置されてもよい。
【００３０】
電源３００の出力側は、また、電圧フィードバック回路３７５および電流フィードバック回路３７６を含み、ＶＲＤコントロールロジック３７０の入力に対して、出力電圧と出力電流を表す信号を提供する。出力電圧は、電源３００の溶接出力端子ＡとＢとの間でサンプルされ、出力電流は、溶接出力電流パスにおけるシャント（ｓｈｕｎｔ）デバイス３９６を通じてサンプルされ得る。本発明の種々の実施例に従って、電圧フィードバック回路３７５はＶＲＤコントロールロジック３７０に対する信号３７３を提供する。信号は、例えば、ＲＭＳ電圧信号、またはロジカル（ハイ／ロー）出力電圧状態信号であり得る。さらに、本発明の種々の実施例に従って、電流フィードバック回路３７６はＶＲＤコントロールロジック３７０に対する信号３７４を提供する。信号は、例えば、ＶＲＤコントロールロジック３７０への溶接出力に係る平均電流、または、ロジカル（ハイ／ロー）出力電流状態信号であり得る。出力電圧および出力電流を表す他のタイプの信号も同様に可能である。
【００３１】
電源３００の出力側は、さらに、出力コントローラー３９９およびＶＲＤコントロールロジック３７０を含んでいる。ちょうど電圧フィードバック回路３７５および電流フィードバック回路３７６がＶＲＤコントロールロジック３７０に対して信号を提供するように、調整された受信器回路３９０はＶＲＤコントロールロジック３７０に対して信号３７６を提供する。信号は、抵抗レベル信号、またはロジカル（ハイ／ロー）なロード／無ロード状態信号であり得る。調整された受信器回路３９０によって提供された信号３７６は、溶接電源３００の出力におけるロード状態、または無ロード状態を定める。ロード状態は、（例えば、溶接中の）電極Ｅと作業部品Ｗとの間の比較的に低い抵抗に対応し、一方、無ロード状態は、（例えば、溶接していない際の）電極Ｅと作業部品Ｗとの間の比較的に高いオープン回路抵抗に対応している。
【００３２】
共振回路３８０および調整された受信器回路３９０は、対応する図２に係る共振回路およびデコード検知器回路と全く同じやり方で、ここにおいてオペレーションする。共振回路３８０は、溶接出力電流パスに共振信号（例えば、８０ｋＨｚ）を誘導し、調整された受信器回路３９０は、共振信号の周波数に調整されて、溶接出力電流パスの中に誘導された共振信号を受け取る。誘導と受け取りの両方とも、電源３００の中の溶接出力回路パスに接続されている変圧器を介して達成される。こうした変圧器の接続は、米国特許第７２３８９１７号において詳細に説明されている。調整された受信器回路３９０による検知または感知のレベルは、ロードまたは、電極Ｅと作業部品Ｗとの間の抵抗に依存している。検知のレベルは、閾値と比較され、溶接出力のロード状態、または無ロード状態を定めることができる。例えば、本発明の一つの実施例に従って、溶接ガンからのトリガースイッチ信号３７７は、また、ＶＲＤコントロールロジック３７０に対する入力としても働く。
【００３３】
ＶＲＤコントロールロジック３７０は、いくつか、または全ての入力信号上で動作し、出力コントローラー３９９に対して提供される出力イネーブル信号３７１を提供する。例えば、本発明の一つの実施例に従って、出力コントローラー３９９は、ロード／無ロード信号３７６が無ロード状態であることを示している場合に、（例えば、ＳＣＲ３９５を電源オフすることによって）電源３００の出力側をディスエーブル（ｄｉｓａｂｌｅ）にすることができる。同様に、出力コントローラー３９９は、ロード／無ロード信号３７６がロード状態であることを示している場合に、（例えば、ＳＣＲ３９５を電源オンすることによって）電源３００の出力側をイネーブル（ｅｎａｂｌｅ）にすることができる。このようにして、溶接機が現在は溶接のために使用されていないが、入力電源ＶＩＮに接続されており、ＯＮ／ＯＦＦスイッチがオンである場合には、高い抵抗（無ロード状態）が検知され、電源３００の出力は、ディスエーブルにされる。
【００３４】
さらに、ＶＲＤコントロールロジック３７０は、いくつか、または全ての入力信号上で動作し、電源３００の入力電力側においてＶＲＤスイッチ３５０に対して提供される入力ディスエーブル信号３７２を生成する。例えば、本発明の一つの実施例に従って、ＶＲＤスイッチ３５０（ノーマリークローズ（ｎｏｒｍａｌｌｙ  ｃｌｏｓｅｄ））は、ロード／無ロード状態信号３７６が無ロード状態であることを示しており、ハイ／ロー出力電圧状態信号３７３が高出力電圧状態を示している場合に、オープンであり得る。このようにして、接点リレー３２２はＶＲＤスイッチ３５０がオープンである場合にオープンであり、溶接変圧器３１０の１次巻き線３１１を通って電流が流れるのを禁じている。従って、電源３００の２次側または出力側において、出力電力は生成され得ない。
【００３５】
このようにして、追加の安全手段が提供される。例えば、無ロード状態が検知されているために出力コントローラー３９９によって電源３００の出力がディスエーブルにされるように命令されている場合でさえも、電源３００の出力側において故障や欠陥が発生するときに、出力端子ＡとＢとの間に出力電圧が未だに表れ得る。例えば、短絡によってＳＣＲ３９５が故障する場合に、端子ＡとＢとの間に未だに比較的高い出力電圧が表れるが、それは非溶接（無ロード）状態の最中では潜在的な危険であり得る。しかしながら、高出力電圧状態が検知され、ＶＲＤコントロールロジック３７０がＶＲＤスイッチ３５０にオープンするよう命令し、電源３００の入力電力側をシャットダウンする。
【００３６】
高出力電圧状態であるために、ＶＲＤスイッチ３５０がオープンであり、かつ、ＯＮ／ＯＦＦスイッチ３４０が未だに閉じている場合には、電力は未だＶＲＤ電源３６０に対して供給されることが可能である。結果として、ＶＲＤ装置に係る種々のコンポーネントには、未だに電力が供給されており、動作することができる。本発明の一つの実施例に従えば、ＶＲＤスイッチ３５０をリセットする（つまり、閉じる）ためには、ＯＮ／ＯＦＦスイッチ３４０がトグルオフ（ｔｏｇｇｌｅ  ｏｆｆ）され、次に再びオンされる必要がある。これによりＶＤＲスイッチ３５０はリセットされ、ＶＲＤコントロールロジック３７０が未だに無ロード状態と高出力電圧状態を検知していなければ、電源３００の入力電力側をイネーブルにし、その場合にＶＲＤスイッチ３５０は、直ちに再びオープンとなる。こうした状況は、電源３００が、保守、修理、または取替えを要求していることを示している。
【００３７】
図４は、図１の電気アーク溶接システム９００で使用される電源４００の第２の実施例において実施される改良された電圧削減装置の実施例に係るブロックダイヤグラムを模式的に示している。図４の電源４００は、図４の電源４００の出力電力側が、単相のフルブリッジ構成としてほんの少し異なって構成されていることを除いて、図３の電源３００と非常に類似している。図３のように単一の２次巻き線を有する代わりに、図４は、２つの２次巻き線４１２と４１３、および２つのＳＣＲ４９５と４９６を有するように変圧器４１０を示している。出力コントローラー３９９は、こうした出力コンポーネントの構成をイネーブル、およびディスエーブルにするように構成されている。しかしながら、図４のＶＲＤコンポーネントは、図３のコンポーネントと同一であり、ＶＲＤ機能とオペレーションが同一である。
【００３８】
図５は、図１の電気アーク溶接システム９００で使用される電源５００の一般的な実施例において実施される改良された電圧削減装置の実施例に係るブロックダイヤグラムを模式的に示している。図５は、図３と図４のＶＲＤ装置が多くの他のタイプの電源において実施され得ることを説明するよう意図されている。そうした電源は、種々の電力変換器を有しており、例えば、単相構成、マルチ相構成（例えば、三相構成）、インバーターまたはチョッパー構成、を含んでいる。図５は、予備変圧器３３０を示しており、図３および図４のように、予備変圧器３３０の２次側においてお互いに直列接続されたＯＮ／ＯＦＦスイッチ３４０、ＶＲＤスイッチ３５０、そしてリレーコイル３２１を伴なっている。一般的な電源５００の入力電圧側をディスエーブルにするためである。図５は、また、一般的な電源５００の出力電圧側をイネーブル、およびディスエーブルにするための出力コントローラー３９９を示している。繰り返すが、図５のＶＲＤコンポーネントは、図３と図４のコンポーネントと同一であり、ＶＲＤ機能とオペレーションが同一である。
【００３９】
図６は、図３から図５の電圧削減装置において実施される電圧削減装置（ＶＲＤ）コントロールロジック３７０および関連のロジック真理値表の実施例に係る模式的なダイヤグラムを示している。ＶＲＤコントロールロジック３７０は、ＡＮＤゲート６１０とインバーター６２０を含んでいる。ロジック真理値表に見られるように、ロード／無ロード状態信号３７６が無ロード状態を示し（例えば、ロジック「０」）、ハイ／ロー状態信号３７３が高出力電圧状態を示す（例えば、ロジック「１」）場合には、信号３７２はロジック「１」であり、ＶＲＤスイッチはオープンであり（つまり、この実施例ではロジック「１」はＶＲＤスイッチをオープンするように命令する）、溶接機の電源の入力側をディスエーブルにする。さらに、出力コントローラーに対する信号３７１は、ロジック「０」であり、溶接機の電源の出力側をディスエーブルにするように出力コントローラーに命じる。例として、溶接出力端子ＡとＢとの間の抵抗が１００オームより大きい場合は、無ロード状態が存在し得る。同様に、溶接出力端子ＡとＢとの間の電圧が５０ボルトＲＭＳより大きい場合（つまり、ＶＴ＞５０ＶＲＭＳ）は、高出力電圧状態が存在し得る。
【００４０】
ロジック真理値表について続けると、無ロード状態が存在し、かつ、低出力電圧状態が存在する場合には、溶接入力はイネーブルにされるが、溶接出力はディスエーブルにされる。ロード状態が存在し、かつ、低出力電圧状態が存在する場合には、溶接入力と溶接出力は両方ともイネーブルにされる。これは、電極Ｅが作業部品Ｗに接触し、ショートしている状況に対応している。ロード状態が存在し、かつ、高出力電圧状態が存在する場合には、溶接入力と溶接出力は両方ともディスエーブルにされる。これは、例えば、電極Ｅと作業部品Ｗとの間にアーク（ａｒｃ）が存在する動作中の溶接状況に対応している。
【００４１】
よって、図６のロジックに従って、ロード／無ロード状態信号３７６は、溶接出力がイネーブルにされているか、ディスエーブルにされているかどうかを判断する。ロード／無ロード状態信号３７６とハイ／ロー状態信号３７３は、両方とも、ＶＲＤスイッチを介して、溶接出入力がイネーブルにされているか、ディスエーブルにされているかどうかを判断する。もちろん、本発明の種々の実施例に従って、トリガースイッチ信号３７７、及び／又は電流フィードバック信号３７４は、コントロールロジックの中に含まれてもよい（例えば、米国特許第７２３８９１７号参照）。
【００４２】
図７は、図３から図５の電圧削減装置と図６の電圧削減コントロールロジックを使用して、図１の電気アーク溶接システム９００において電圧削減電圧を提供するための方法７００の実施例に係るフローチャートを示している。ステップ７１０において、ＯＮ／ＯＦＦスイッチ３４０は閉じており（ＶＲＤスイッチは、ノーマリークローズである）、溶接電源の入力電圧側をイネーブルにしている。ステップ７２０では、出力端子ＡとＢとの抵抗ロードが閾値Ｒｔｈｒｅｓ（例えば、１００オーム）より小さい場合はロード状態を示しており、ステップ７３０において、溶接電源の出力電圧側がイネーブルにされ、ステップ７４０において、ユーザーは溶接を進めることができる。
【００４３】
しかしながら、ステップ７２０において、出力端子ＡとＢとの抵抗ロードが閾値Ｒｔｈｒｅｓより大きくて無ロード状態を示していれば、次に、ステップ７５０において、溶接電源の出力電圧側がディスエーブルにされる。さらに、ステップ７６０において、出力電圧（例えば、ＲＭＳ出力電圧ＶＲＭＳ）が閾値Ｒｔｈｒｅｓより大きくなくて低出力電圧状態を示していれば、次に、ステップ７７０において、出力電力側がディスエーブルにされ、かつ、出力電圧が低いので、溶接は、適切な無ロード安全状態にある。
【００４４】
しかしながら、ステップ７６０において、出力電圧（例えば、ＲＭＳ出力電圧ＶＲＭＳ）が閾値Ｖｔｈｒｅｓより大きくて高電圧状態を示していれば、次に、ステップ７８０において、溶接電源の入力電圧側も、またディスエーブルにされる。このことは、溶接電源の出力電力側に故障が生じた場合に、追加の安全手段を提供し、電力を出力端子ＡとＢに到達させる（例えば、図３におけるＳＣＲ３９５がショートする場合）。ステップ７９０では、ＶＲＤスイッチ３５０を閉じることにより入力電力側を再度イネーブルにするように溶接機をリセットするための試みにおいて、ＯＮ／ＯＦＦスイッチ３９０がリセットされる（つまり、電源オフされ、次に再度オンされる）。方法７００は、高電圧出力状態が未だに存在するかどうかをチェックするために、ステップ７６０に戻る。そうである場合には、スイッチ３５０は直ちに再びオープンにされる。
【００４５】
まとめると、本発明の実施例は、溶接電源において電圧削減機能を提供する方法を含んでいる。本方法は、溶接電源の中から、誘導された信号を検知することを含み、溶接電源の電極出力端子と作業部品出力端子との間がロード状態または無ロード状態であることを示す検知された信号を生成する。本方法は、さらに、溶接電源の中から、電極出力端子と作業部品出力端子との間が低電圧状態または高電圧状態であることを示す出力電圧を検知することを含む。本方法は、また、検知された信号が無ロード状態であることを示し、かつ、出力電圧が高出力電圧状態であることを示す場合には、溶接電源の中から、溶接電源の入力電力側をディスエーブルにすることを含む。本発明の一つの実施例に従えば、出力端子間の抵抗が約１００オームより大きい場合に、検知された信号は無ロード状態を示し、出力電圧レベルが約５０ＶＲＭＳより大きい場合に、出力電圧は高出力電圧状態を示す。本方法は、さらに、検知された信号が無ロード状態を示す場合に、溶接電源の中から、溶接電源の出力電力側をディスエーブルにすることを含む。誘導された信号は、本発明の一つの実施例に従って、溶接電源の出力電流パスにおいて誘導された共振信号であり、出力電圧は、二乗平均平方根（ＲＭＳ）の電圧である。溶接電源の入力電力側をディスエーブルにするステップは、入力電力側の電圧削減装置（ＶＲＤ）スイッチを自動的にオープンにすることで達成することができる。ＶＤＲスイッチは、溶接電源の主ＯＮ／ＯＦＦスイッチおよび溶接電源の入力電力接点リレーのコイルと直列である。
【００４６】
本発明の別の実施例は、溶接電源において電圧削減機能を提供するための装置（ｄｅｖｉｃｅ）を含んでいる。装置は、溶接電源の中から、溶接電源の出力電流パスにおいて共振信号を誘導する手段を含む。装置は、さらに、溶接電源の中から、誘導された共振信号を検知するための手段を含み、溶接電源の電極出力端子と作業部品出力端子との間がロード状態または無ロード状態であることを示す検知された信号を生成する。装置は、また、溶接電源の中から、電極出力端子と作業部品出力端子との間が低電圧状態または高電圧状態であることを示すＲＭＳ出力電圧を検知するための手段を含む。本発明の一つの実施例に従って、検知された信号は、出力端子間の抵抗が既定の閾値より大きい場合に無ロード状態を示し、出力電圧レベルは、ＲＭＳ出力電圧レベルが既定の閾値より大きい場合に高出力電圧状態を示す。本装置は、さらに、検知された信号が無ロード状態を示し、かつ、ＲＭＳ出力電圧が高出力電圧状態を示す場合に、溶接電源の中から、溶接電源の入力電力側をディスエーブルにする手段を含む。本装置は、また、検知された信号がロード状態を示す場合に、溶接電源の中から、溶接電源の出力電力側をイネーブルにする手段を含んでもよい。装置は、さらに、溶接電源の入力電力接点リレーが励磁されていない場合でさえ、少なくとも、誘導する手段、検知する手段、およびディスエーブルにする手段、に対して電力を供給する手段を含み得る。電力は、本発明の一つの実施例に従って、予備の変圧器を通じて溶接電源の入力電力側から生じたものである。
【００４７】
本発明のさらなる実施例は、溶接電源において電圧削減機能を提供するための装置（ａｐｐａｒａｔｕｓ）を含んでいる。装置は、溶接電源の中に構成される調整された受信器回路を含んでおり、溶接電源の中の溶接出力電流パスにおいて誘導された共振信号を受け取り、そこからロジカルなロード状態信号を生成する。装置は、さらに、溶接電源の中に構成された電圧検知回路を含んでおり、溶接電源の電極出力端子と作業部品出力端子との間の電圧を検知し、ロジカルな出力電圧状態信号を生成する。装置は、さらに、溶接電源の主ＯＮ／ＯＦＦスイッチおよび溶接電源の入力電力側の入力電力接点リレーのコイルと直列な電圧削減装置（ＶＲＤ）を含んでいる。装置は、さらに、溶接電源の中に構成された電圧削減装置（ＶＲＤ）コントロール回路を含んでおり、ロジカルなロード状態信号が無ロード状態を示し、かつ、ロジカルな出力電圧状態信号が高出力電圧状態を示す場合に、ＶＲＤスイッチをオープンにする。装置は、さらに、溶接電源の中に構成された共振回路を含んでもよく、溶接出力電流パスの中に共振信号を誘導する。ＶＲＤコントロールロジック回路が、さらに、溶接電源の中に構成され、ロジカルなロード状態信号がロード状態を示す場合に、溶接電源の出力電力側をイネーブルにするように、溶接電源の出力コントローラーに対して命令する。装置は、さらに、調整された受信器回路、電圧検知回路、ＶＲＤコントロールロジック回路、共振回路、そしてＶＲＤスイッチの少なくとも一つに対して電力を提供するように構成された、ＶＲＤ電源を含んでいる。本発明の一つの実施例に従って、ＶＲＤ電源は、溶接電源の入力電力側にある溶接電源の予備の変圧器に動作的に接続されている。ＶＲＤ電源は、入力電力接点リレーが励磁されていてもいなくても、かつ、溶接電源の主ＯＮ／ＯＦＦスイッチが閉じている場合に、予備の変圧器の２次側から電力を引き出すことができる。ロジカルなロード状態信号は、出力端子間の抵抗レベルが既定の閾値よりも大きい場合に、無ロード状態を示している。ロジカルな出力電圧状態信号は、電圧が既定の閾値よりも大きい場合に、高出力電圧状態を示している。
【００４８】
所定の実施例に関して、本特許出願に係る発明特定事項が説明されてきたが、当業者であれば、本発明の技術的範囲を逸脱することなく種々の変更や均等物がなされ得ることが理解されよう。加えて、多くの変形は、本願の特許請求の範囲から逸脱することなく所定の状態または材料に適用され得る。従って、特許請求される技術的事項は、開示された所定の実施例に限定されるものではなく、添付の請求項の範囲内にある全ての実施例を包含するものである。
【符号の説明】
【００４９】
１０  電源
１２  三相入力
１４  出力端子
１６  出力端子
１８  ＯＮ端子
２０  入力ライン
３０  溶接ケーブル
３２  溶接ケーブル
３４  グラウンド端子
３６  シャント
４０  スイッチ
４０ａ  スイッチ
４０ｂ  手段
６０  変圧器
６２  １次巻き線
６４  ２次巻き線
７０  共振器
８０  出力変圧器
８２  １次巻き線
８４  ２次巻き線
９０  デコード検知器
９２  出力
１００  ＡＮＤ回路
１０２  ２次入力
１０４  出力
１１０  スタート回路
１１２  出力
１２０  コンパレーター
１２２  ライン
１２４  平均化回路
１２６  ２次入力
１３０  出力ライン
１４０  ゲート
１４２  入力
１４４  ライン
１５０  破線
２５２  キャパシター
２５４  抵抗
３００  電源
３１０  溶接変圧器
３１１  １次巻き線
３１２  ２次巻き線
３２１  コイル
３２２  電子リレー接点
３４０  ＯＮ／ＯＦＦスイッチ
３５０  ＶＲＤスイッチ
３６０  ＶＲＤ電源
３７０  ＶＲＤコントロールロジック
３７１  出力イネーブル信号
３７２  入力ディスエーブル信号
３７３  信号
３７４  信号
３７５  電圧フィードバック回路
３７６  電流フィードバック回路
３７７  トリガースイッチ信号
３８０  発振回路
３９０  調整された受信器回路
３９５  ＳＣＲ
３９６  シャント装置
３９９  出力コントローラー
４００  電源
４１０  溶接変圧器
４１２  ２次巻き線
４１３  ２次巻き線
４９５  ＳＣＲ
４９６  ＳＣＲ
５００  電源
６１０  ＡＮＤゲート
６２０  インバーター
７００  方法
７２０  ステップ
７３０  ステップ
７４０  ステップ
７５０  ステップ
７６０  ステップ
７７０  ステップ
７８０  ステップ
７９０  ステップ
９００  電気アーク溶接システム
９１０  電力変換器
９２０  ワイヤーフィーダー
９３０  波形ジェネレーター
９４０  電圧フィードバック回路
９６０  電流フィードバック回路
Ａ  出力端子
Ｂ  出力端子
Ｄ  電源コントロール装置
Ｇ  ギャップ
ＶＩＮ  入力電源
Ｗ  作業部品
ＷＰ  作業部品
【図１】
0005830544.tif 000002
【図２】
0005830544.tif 000003
【図３】
0005830544.tif 000004
【図４】
0005830544.tif 000005
【図５】
0005830544.tif 000006
【図６】
0005830544.tif 000007
【図７】
0005830544.tif 000008